(57)【要約】  金属シールドケースを有するモジュラープラグであって、キャビティーを有するモジュラープラグ本体と、金属シールドケースと、を含み、前記モジュラープラグ本体は、逆となる第１の端部及び第２の端部を備え、前記第１の端部には、金属端子が設けられ、前記第２の端部には、ケーブルが前記キャビティーに挿入されるように、前記キャビティーに連通されている開口が設けられ、前記金属シールドケースは、前記モジュラープラグ本体を被せるように設置され、前記モジュラープラグ本体には、前記キャビティーに連通される第１の開孔が設けられ、前記金属シールドケースにおける前記第１の開孔に対応する位置には、前記第１の開孔の内部に向かって折り曲がるように変形可能な少なくとも１枚の金属弾性シートが設けられているので、アース接続の遮断機能を実現することができる。本発明に係る金属シールドケースを有するモジュラープラグは、その構成が簡単で、設計が精巧であるので、簡便に接地機能を実現することができ、コストが低く、普及及び適用しやすい。
2019515479.tif 000002
【特許請求の範囲】
【請求項１】
キャビティーを有するモジュラープラグ本体と、金属シールドケースと、を含み、
前記モジュラープラグ本体は、逆となる第１の端部及び第２の端部を備え、
前記第１の端部には、金属端子が設けられ、前記第２の端部には、ケーブルが前記キャビティーに挿入されるように、前記キャビティーに連通されている開口が設けられ、
前記金属シールドケースは、前記モジュラープラグ本体を被せるように設置され、
前記モジュラープラグ本体には、前記キャビティーに連通される第１の開孔が設けられ、
前記金属シールドケースにおける前記第１の開孔に対応する位置には、前記第１の開孔の内部に向かって折り曲がるように変形可能な少なくとも１枚の金属弾性シートが設けられる
ことを特徴とする金属シールドケースを有するモジュラープラグ。
【請求項２】
前記モジュラープラグ本体は、複数の本体側壁を備え、
前記複数の本体側壁により囲まれることで前記キャビティーが形成され、
前記第１の開孔は、前記複数の本体側壁のうちの一つの本体側壁に形成される
ことを特徴とする請求項１に記載の金属シールドケースを有するモジュラープラグ。
【請求項３】
他の一つの本体側壁には、コネクタ差込口に係止連接するための押圧弾性シートが連接され、
前記コネクタ差込口には、電気的に接続される前記モジュラープラグが収納される
ことを特徴とする請求項２に記載の金属シールドケースを有するモジュラープラグ。
【請求項４】
前記モジュラープラグ本体は、四つの本体側壁、即ち第１の本体側壁、第２の本体側壁、第３の本体側壁及び第４の本体側壁を含み、
前記四つの本体側壁により囲まれることで前記キャビティーが形成され、
前記第１の本体側壁は、第３の本体側壁に対向し、前記第２の本体側壁は、第４の本体側壁に対向し、
前記第１の開孔は、前記第２の本体側壁に形成され、
前記金属シールドケースは、前記第１の開孔に対応する第２の開孔を備え、
前記押圧弾性シートは、前記第４の本体側壁に設置される
ことを特徴とする請求項３に記載の金属シールドケースを有するモジュラープラグ。
【請求項５】
前記金属シールドケースは、第１のシールドケース側壁、第２のシールドケース側壁及び第３のシールドケース側壁を含み、
前記第１のシールドケース側壁及び第３のシールドケース側壁は、それぞれ前記第２のシールドケース側壁の二つの対向辺から伸びて形成され、
前記第２の開孔は、前記第１のシールドケース側壁と第３のシールドケース側壁との間に形成され、
前記少なくとも１枚の金属弾性シートは、回動可能に前記第１のシールドケース側壁及び／又は第３のシールドケース側壁に連接される
ことを特徴とする請求項４に記載の金属シールドケースを有するモジュラープラグ。
【請求項６】
前記金属弾性シートの数は、２枚であり、
前記２枚の金属弾性シートは、それぞれ回動可能に前記第１のシールドケース側壁及び第３のシールドケース側壁に連接される
ことを特徴とする請求項５に記載の金属シールドケースを有するモジュラープラグ。
【請求項７】
各前記金属弾性シートは、相手の金属弾性シートに向いている自由末端を有し、
前記自由末端の角部には、欠け口が設置され、
二つの自由末端の欠け口は、２枚の金属弾性シートの回動が互いに影響されないように、互いにずらされている
ことを特徴とする請求項６に記載の金属シールドケースを有するモジュラープラグ。
【請求項８】
前記第２の端部の開口は、第１の額縁、第２の額縁、第３の額縁及び第４の額縁により囲まれることで形成され、
各額縁は、前記開口に位置する額縁内側と、前記開口から離れる額縁外側と、を備え、
前記第２の額縁は、凹面が前記第２の額縁における前記開口に対向する額縁内側に形成され、且つ凸面が前記第２の額縁における前記開口から離れる額縁外側に形成されるように、外側に向いて曲がるように突出する
ことを特徴とする請求項５に記載の金属シールドケースを有するモジュラープラグ。
【請求項９】
前記第１のシールドケース側壁には、前記第２のシールドケース側壁のエッジから離れて前記第３のシールドケース側壁に向かって伸びる第１の金属シートが形成されており、
前記第３のシールドケース側壁には、前記第２のシールドケース側壁のエッジから離れて前記第１のシールドケース側壁に向かって伸びる第３の金属シートが形成されており、
前記第１の金属シート及び第３の金属シートは、前記第２の額縁に密着される
ことを特徴とする請求項８に記載の金属シールドケースを有するモジュラープラグ。
【請求項１０】
ケーブル及び前記ケーブルの端部に連接されているモジュラープラグを含み、
前記モジュラープラグは、キャビティーを有するモジュラープラグ本体と、金属シールドケースと、を含み、
前記金属シールドケースは、前記モジュラープラグ本体を被せるように設置され、
前記モジュラープラグ本体には、逆となる第１の端部及び第２の端部を備え、
前記第１の端部には、金属端子が設けられ、前記第２の端部には、前記キャビティーに連通されている開口が設けられ、
前記ケーブルは、複数本のワイヤコアと、前記複数本のワイヤコアを被覆する遮蔽メッシュと、前記遮蔽メッシュを被覆するシースと、を含み、
前記ケーブルの端部は、前記開口を介して前記キャビティーに挿入され、前記金属端子に電気的に接続され、
前記モジュラープラグ本体には、前記キャビティーに連通されている第１の開孔が設けられ、
前記金属シールドケースにおける前記第１の開孔に対応される位置には、前記第１の開孔の内部に向かって折り曲がるように変形可能な少なくとも１枚の金属弾性シートが設けられ、前記金属弾性シートが前記第１の開孔の内部に向かって折り曲がるように変形する場合、前記遮蔽メッシュに当接される
ことを特徴とする通信ケーブル。
【発明の詳細な説明】
【技術分野】
【０００１】
本発明は、モジュラープラグに関し、特に、金属シールドケースを有するモジュラープラグ及び通信ケーブルに関する。
【背景技術】
【０００２】
モジュラープラグは、ケーブルの接続、特にネットワークの接続において重要なインターフェース部品であり、設備ポートに所定の方向に沿って挿入されることができ、モジュラープラグ自体が設備ポートから外れることを防止可能なプラスチックコンタクトである。モジュラープラグは、主にネットワークカードポート、ハブ、交換機及び電話などの装置との連接に用いられ、設備間又は水平のサブシステムの現場端末に適用されている。
【０００３】
新規な技術案は、信号の品質を向上し、干渉を低減するため、金属シールドケースを有するモジュラープラグ本体を設置し、金属シールドケースにアース線を溶接することによって、干渉を防止し、ノイズを遮断する。しかしながら、従来のモジュラープラグにおいて、金属シールドケースにより接地する方法は、複雑であるので、実現が難しく、且つ相当のコストがかかり、普及と使用が困難であった。
【発明の概要】
【発明が解決しようとする課題】
【０００４】
本発明は、上記の問題を鑑みてなされたものであり、便利で簡便に接地機能を実現できる金属シールドケースを有するモジュラープラグを提供することを目的とする。
【０００５】
本発明は、さらに通信ケーブルを提供することを目的とする。
【課題を解決するための手段】
【０００６】
本発明の一態様に係る金属シールドケースを有するモジュラープラグは、キャビティーを有するモジュラープラグ本体と、金属シールドケースと、を含み、前記モジュラープラグ本体は、逆となる第１の端部及び第２の端部を備え、前記第１の端部には、金属端子が設けられ、前記第２の端部には、ケーブルが前記キャビティーに挿入されるように、前記キャビティーに連通されている開口が設けられ、前記金属シールドケースは、前記モジュラープラグ本体を被せるように設置され、前記モジュラープラグ本体には、前記キャビティーに連通する第１の開孔が設けられ、前記金属シールドケースにおける前記第１の開孔に対応する位置には、前記第１の開孔の内部に向かって折り曲がるように変形可能な少なくとも１枚の金属弾性シートが設けられている。
【０００７】
一つの実施例において、前記モジュラープラグ本体は、複数の本体側壁を備え、前記複数の本体側壁により囲まれることで前記キャビティーが形成され、前記第１の開孔は、前記複数の本体側壁のうちの一つの本体側壁に形成されている。
【０００８】
一つの実施例において、他の一つの本体側壁には、コネクタ差込口に係止連接するための押圧弾性シートが連接され、前記コネクタ差込口には、電気的に接続される前記モジュラープラグが収納される。
【０００９】
一つの実施例において、前記モジュラープラグ本体は、四つの本体側壁、即ち第１の本体側壁、第２の本体側壁、第３の本体側壁及び第４の本体側壁を含み、前記四つの本体側壁により囲まれることで前記キャビティーが形成され、前記第１の本体側壁は、第３の本体側壁に対向し、前記第２の本体側壁は第４の本体側壁に対向し、前記第１の開孔は、前記第２の本体側壁に形成され、前記金属シールドケースは、前記第１の開孔に対応する第２の開孔を備え、前記押圧弾性シートは、前記第４の本体側壁に設置される。
【００１０】
一つの実施例において、前記金属シールドケースは、第１のシールドケース側壁、第２のシールドケース側壁及び第３のシールドケース側壁を含み、前記第１のシールドケース側壁及び第３のシールドケース側壁は、それぞれ前記第２のシールドケース側壁の二つの対向辺から伸びて形成され、前記第２の開孔は、前記第１のシールドケース側壁と第３のシールドケース側壁との間に形成され、前記少なくとも１枚の金属弾性シートは、回動可能に前記第１のシールドケース側壁及び／又は第３のシールドケース側壁に連接される。
【００１１】
一つの実施例において、前記金属弾性シートの数は、２枚であり、前記２枚の金属弾性シートは、それぞれ回動可能に前記第１のシールドケース側壁及び第３のシールドケース側壁に連接される。
【００１２】
一つの実施例において、各前記金属弾性シートは、相手の金属弾性シートに向いている自由末端を有し、前記自由末端の角部には、欠け口が設置され、二つの自由末端の欠け口は、２枚の金属弾性シートの回動が互いに影響されないように、互いにずらされている。
【００１３】
一つの実施例において、前記第２の端部の開口は、第１の額縁、第２の額縁、第３の額縁及び第４の額縁により囲まれることで形成され、各額縁は、前記開口に位置する額縁内側と、前記開口から離れる額縁外側と、を備え、前記第２の額縁は、凹面が前記第２の額縁における前記開口に対向する額縁内側に形成され、且つ凸面が前記第２の額縁における前記開口から離れる額縁外側に形成されるように、外側に向いて曲がるように突出する。
【００１４】
一つの実施例において、前記第１のシールドケース側壁には、前記第２のシールドケース側壁のエッジから離れて前記第３のシールドケース側壁に向かって伸びる第１の金属シートが形成されており、前記第３のシールドケース側壁には、前記第２のシールドケース側壁のエッジから離れて前記第１のシールドケース側壁に向かって伸びる第３の金属シートが形成され、前記第１の金属シート及び第３の金属シートは、前記第２の額縁に密着される。
【００１５】
本発明は、さらに通信ケーブルを提供する。前記通信ケーブルは、ケーブルと、前記ケーブルの端部に連接されているモジュラープラグと、を含み、前記モジュラープラグは、キャビティーを有するモジュラープラグ本体と、金属シールドケースと、を含み、前記金属シールドケースは、前記モジュラープラグ本体を被せるように設置され、前記モジュラープラグ本体には、逆となる第１の端部及び第２の端部を備え、前記第１の端部には、金属端子が設けられ、前記第２の端部には、前記キャビティーに連通されている開口が設けられ、前記ケーブルは、複数本のワイヤコアと、前記複数本のワイヤコアを被覆する遮蔽メッシュと、前記遮蔽メッシュを被覆するシースと、を含み、前記ケーブルの端部は、前記開口を介して前記キャビティーに挿入され、前記金属端子に電気的に接続され、前記モジュラープラグ本体には、前記キャビティーに連通されている第１の開孔が設けられ、前記金属シールドケースにおける前記第１の開孔に対応する位置には、前記第１の開孔の内部に向かって折れ曲がるように変形可能な少なくとも１枚の金属弾性シートが設けられ、前記金属弾性シートが前記第１の開孔の内部に向かって折れ曲がるように変形する場合、前記遮蔽メッシュに当接される。
【発明の効果】
【００１６】
以上説明したように、本発明は、金属シールドケースを有するモジュラープラグを提供する。金属シールドケースは、モジュラープラグ本体を被せるように設置され、モジュラープラグ本体は、キャビティーに連通される第１の開孔を有し、金属シールドケースには、第１の開孔に対応する第２の開孔が設けられ、ケーブルは、シース部分を除去した複数本のワイヤコアに巻き付けられた遮蔽メッシュを備え、金属シールドケースにおける第１の開孔に対応する位置には、金属弾性シートが第１の開孔の内部に向かって折り曲がるように変形される場合、前記遮蔽メッシュに当接されるように、第１の開孔の内部に向かって折り曲がるように変形可能な少なくとも１枚の金属弾性シートが設けられているので、アース接続の遮断機能を実現することができる。本発明に係る金属シールドケースを有するモジュラープラグは、その構成が簡単で、設計が精巧であるため、簡便に接地機能を実現することができ、コストが低く、普及及び適用しやすい。
【図面の簡単な説明】
【００１７】
【図１】本発明に係るモジュラープラグ及びケーブルの一実施例の爆発模式図である。
【図２】図１に示したモジュラープラグとケーブルとの連接の組立模式図である。
【図３】図１に示したモジュラープラグの断面構成の斜視模式図である。
【図４】図１に示したモジュラープラグの構成の斜視模式図である。
【図５】モジュラープラグとケーブルとの連接の部分的な断面構成の模式図である。
【図６】本発明に係るモジュラープラグのプラグの第２実施例の斜視分解図である。
【図７】図６に示したプラグを含むモジュラープラグとケーブルとの連接の組立模式図である。
【発明を実施するための形態】
【００１８】
以下、詳細に実施例を説明する前に理解すべきこととして、本発明は、以下の明細書又は図面において説明する詳細な構成又は要素の配列に限定されるものではない。本発明は、その他の実施形態により実現される実施例であってもよい。そして、明細書において使われる表現及び用語は、その用途を説明するのみに用いられ、限定的な解釈ではないことを理解すべきである。明細書において使われる「含む」、「備える」、「有する」などの類似の表現は、その後に示す項目、その同等物及びその他の付加項目を含むことを指す。特に、本発明は、「一つの要素」と表現された場合、当該要素の数が１個であることに限定されず、複数も含むことができる。
【００１９】
本発明に係る通信ケーブルは、図１〜図５に示すように、ケーブル１０と、ケーブル１０の端部に連接されているモジュラープラグ１２と、を含む。モジュラープラグ１２は、モジュラープラグ本体１４と、金属シールドケース１６と、押圧弾性シート１８と、第１のプラグ２０と、を含む。
【００２０】
モジュラープラグ本体１４は、逆となる第１の端部２２及び第２の端部２４と、上記第１の端部２２と第２の端部２４との間に形成されるキャビティー２６と、を備える。第１の端部２２には、金属端子２８が設けられ、第２の端部２４には、キャビティー２６に連通されている開口３０が設けられている。第１のプラグ２０は、開口３０の内部に装着されている。ケーブル１０は、複数本のワイヤコア３２と、複数本のワイヤコアを被覆するシース３４と、を含む。ケーブル１０の端部は、開口３０を介してキャビティー２６に挿入され、モジュラープラグ本体１４に設置された第１の端部２２の金属端子２８に電気的に接続される。
【００２１】
上記の実施例において、モジュラープラグ本体１４は、四つの本体側壁、即ち第１の本体側壁３６、第２の本体側壁３８、第３の本体側壁４０及び第４の本体側壁４２を含む。上記の四つの本体側壁により囲まれることで、モジュラープラグ本体１４のキャビティー２６が形成される。ここで、第１の本体側壁３６は、第３の本体側壁４０に対向し、第２の本体側壁３８は、第４の本体側壁４２に対向している。第２の本体側壁３８には、キャビティー２６に連通される第１の開孔４４が設けられる。第４の本体側壁４２には、コネクタ差込口に係止連接される押圧弾性シート１８が連接されている。上記コネクタ差込口は、電子機器における差込口であり、電気的に接続されるモジュラープラグ１２を収納するためのものである。
【００２２】
モジュラープラグにおける第２の端部２４の開口３０は、モジュラープラグ本体１４の複数の額縁により囲まれることで形成される。各額縁は、開口３０に位置している額縁内側と、開口３０から離れる額縁外側と、を備える。複数の額縁うちの一つの額縁は、当該額縁における開口３０に対向する額縁内側に凹面が形成され、且つ当該額縁における開口３０から離れる額縁外側に凸面が形成されるように、外側に向いて曲がるように突出する。
【００２３】
上記の実施例において、モジュラープラグの開口３０は、４個の額縁、即ち第１の額縁４６、第２の額縁４８、第３の額縁５０及び第４の額縁５２により囲まれることで形成される。そのうち、第１の額縁４６及び第３の額縁５０は、二つの対向している短辺であり、第２の額縁４８及び第４の額縁５２は、二つの対向している長辺であり、外側に向いて曲がるように突出する額縁は、そのうちの一つの長辺である。ここで、４個の額縁は、四つの本体側壁において、モジュラープラグ本体１４の第２の端部２４の方向に向いている外縁箇所に位置している。具体的に、第１の額縁４６は、第１の本体側壁３６の外縁箇所に位置し、第２の額縁４８は、第２の本体側壁３８の外縁箇所に位置し、第３の額縁５０は、第３の本体側壁４０の外縁箇所に位置し、第４の額縁５２は、第４の本体側壁４２の外縁箇所に位置している。第２の額縁４８は、第１の開孔４４とモジュラープラグ本体の第２の端部２４との間に位置している。
【００２４】
上記の実施例において、外側に向いて曲がるように突出する額縁は、第２の額縁４８である。第２の額縁４８は、開口３０の内部に位置している額縁内側５４と、開口３０から離れる額縁外側５６と、を有する。第２の額縁４８は、円弧凹面が当該第２の額縁４８における開口３０に向いている額縁内側５４に形成され、且つ上記円弧凹面に対応する円弧凸面が当該第２の額縁４８における開口３０から離れる額縁外側５６に形成されるように、外側に向いて曲がるように突出する。額縁が外側に突出するのは、モジュラープラグ１２全体の構成を変更しない上で、開口３０及びキャビティー２６のサイズを増大したことに相当する。このような開口３０を有するモジュラープラグ１２を利用することで、ケーブル１０をキャビティー２６に挿入する場合、ケーブル１０がシース３４とともに挿入されることができるので、金属端子２８に近接する部分のシース３４のみを除去する必要がある。言い換えれば、キャビティー２６に挿入されるケーブルの部分は、図５に示したように、一段のシースが除去された部分５８と、一段のシースが除去されていない部分６０と、を含む。このように、一段のワイヤコアだけの撚りピッチが破壊されているが、このような破壊は、大きな信号のクロストークを起こさないので、これは許容範囲となる。従って、キャビティー２６に位置するツイストペアケーブルの撚りピッチに対する破壊を大きく低減させ、信号のクロストークによる影響を減らせることができる。
【００２５】
押圧弾性シート１８は、モジュラープラグ本体１４における第４の額縁５２が設置された側に連接されている。即ち、押圧弾性シート１８が連接されている額縁は、外側に向いて曲がるように突出する額縁に対向する。押圧弾性シート１８は、モジュラープラグ１２が電子機器におけるインターフェースの中に挿入された後、モジュラープラグ１２をロックするように、インターフェースに弾性的に係合されることによって、不意に外れることを防止することができる。モジュラープラグ１２を引き抜こうとする際、当該押圧弾性シート１８を押圧することによってその係合を解除することで、モジュラープラグが引き抜かされる。押圧弾性シート１８が連接されている額縁が外側に向いて曲がるように突出する額縁に対向しているので、押圧弾性シート１８への押圧動作にはいかなる影響も及ばない。押圧弾性シート１８は、当業者にとって周知なものであるため、その詳細な説明を省略する。
【００２６】
理解すべくことに関して、本実施例において、上記凹面及び上記凸面は、それぞれ円弧面に設計されたが、その他の実施例においては、その他の形状を有する凹面及び凸面に設計されてもよい。例えば、Ｖ字状の凸面及びＶ字状の凹面、或いはドーム状の凸面およびドーム状の凹面に設計されてもよく、開口３０の断面積を増大させ、且つ設計のニーズが満たされればよい。本発明は、これに対して限定しない。
【００２７】
理解すべくことに関して、本実施例において、モジュラープラグにおける開口３０が４個の額縁により囲まれることで形成されたことを詳細に説明したが、モジュラープラグの具体的な設計のニーズに応じて、４個以外の数の額縁により囲まれることでモジュラープラグにおける開口３０を形成してもよく、開口の断面積を増大させ、且つ設計のニーズが満たされればよい。本発明は、これに対して特に限定しない。
【００２８】
金属シールドケース１６は、モジュラープラグ本体１４に当該モジュラープラグ本体１４をスリーブするように設置される。金属シールドケース１６において、第１の開孔４４に対応する位置には、第１の開孔４４の内部に向かって折り曲がるように変形可能な少なくとも１枚の金属弾性シート６２が設けられている。
【００２９】
具体的に、図１に戻って参照すると、金属シールドケース１６は、第１の開孔４４に対応する第２の開孔６４を備える。金属シールドケース１６は、第１のシールドケース側壁６６と、第２のシールドケース側壁６８と、第３のシールドケース側壁７０と、を含む。そのうち、第１のシールドケース側壁６６及び第３のシールドケース側壁７０は、それぞれ第２のシールドケース側壁６８の二つの対向辺から伸びて形成されている。金属シールドケース１６がモジュラープラグ本体１４を被せるように設置された場合、第１のシールドケース側壁６６が第１の本体側壁３６に張り合わせられ、第２のシールドケース側壁６８が第４の本体側壁４２に張り合わせられ、第３のシールドケース側壁７０が第３の本体側壁４０に張り合わせられる。第１の開孔４４は、第２の本体側壁３８に形成されており、第２の開孔６４は、第１のシールドケース側壁６６と第３のシールドケース側壁７０との間に形成されている。上記少なくとも１枚の金属弾性シート６２は、回動可能に第１のシールドケース側壁６６及び／又は第３のシールドケース側壁７０に連接される。本実施例において、２枚の金属弾性シート６２が設けられている。上記２枚の金属弾性シート６２は、それぞれ回動可能に第１のシールドケース側壁６６及び第３のシールドケース側壁７０に連接される。第１のシールドケース側壁６６における第２のシールドケース側壁６８から離れるエッジには、第３のシールドケース側壁７０に向かって伸びる第１の金属シート７２が形成されている。第３のシールドケース側壁７０における第２のシールドケース側壁６８から離れるエッジには、第１のシールドケース側壁６６に向かって伸びる第３の金属シート７４が形成されている。第１の金属シート７２及び第３の金属シート７４は、金属シールドケース１６がモジュラープラグ本体１４を被せるように設置された場合、第２の額縁４８上に密着される。
【００３０】
上記の実施例において、各金属弾性シート６２は、相手の金属弾性シートに向いている自由末端７６を有する。自由末端７６の角部には、欠け口７８が設置されている。そして、二つの自由末端７６の欠け口７８は、２枚の金属弾性シート６２の回動が互いに影響されないように、互いにずらされている。
【００３１】
図１及び図５を参照すると、ケーブル１０は、複数本のワイヤコア３２と、上記複数本のワイヤコア３２を被覆する遮蔽メッシュ８０と、遮蔽メッシュ８０を被覆するシース３４と、を含む。ケーブル１０には、さらに遮蔽メッシュ８０に電気的に接続されるアース線が設けられている。モジュラープラグ１２の内部に位置する一段のケーブル１０のシース３４は、除去されている。金属弾性シート６２が第１の開孔４４の内部に向かって曲がるように変形される場合、金属弾性シート６２が遮蔽メッシュ８０に当接し電気的に接続されるので、アース接続の遮断効果を奏することができる。従って、モジュラープラグ１２とケーブル１０を組み立てる際、ケーブルのヘッド部における一段のシースを除去し、ヘッド部における一段の遮蔽メッシュを除去させるが、一段の除去されてないシースに近接する遮蔽メッシュ８０を保留する。その後、直接に上記の処理されたケーブルのヘッド部をモジュラープラグのキャビティー２６に挿入した後、金属弾性シート６２が遮蔽メッシュ８０に当接し電気的に接続されるまで、当該金属弾性シート６２を第１の開孔４４の方向に押圧する。この装着過程は、簡便であり、そして、優れたアース接続の遮断効果を奏することができる。優れた電気的な接触を奏するため、モジュラープラグのキャビティー２６に挿入されたケーブルのヘッド部における保留された一段の遮蔽メッシュ８０は、少なくとも２個の金属弾性シート６２うちの一つの金属弾性シート６２に対応する位置まで伸ばすべきである。このように、金属弾性シート６２を押圧することによって、優れたアース接続の遮断効果を奏することができる。
【００３２】
理解すべくことに関して、本実施例において、金属弾性シート６２の自由末端７６に欠け口７８を設置し、そして、欠け口７８を互いにずらすことによって、２枚の金属弾性シート６２の回動が互いに影響されないようにする構成を採用したが、本発明は、これに対して特に限定しない。その他の実施例において、ほかの構成を採用してもよい。例えば、自由末端７６を互いに噛み合う形式の歯車状にしたものでもよい。
【００３３】
さらに理解すべくことに関して、その他の実施例において、設計のニーズ及び各態様における要素に応じて、１枚又は２枚以上の金属弾性シート６２を設置してもよい。
【００３４】
第１のプラグ２０は、開口３０の内部に装着される。第１のプラグ２０は、キャビティー２６に連通されている挿通孔８２を有する。モジュラープラグ１２は各種の線径に適用されるため、モジュラープラグ１２は、さらに第２のプラグ８４を含む。図６及び図７を参照すると、第２のプラグ８４は、交換可能に第１のプラグ２０の挿通孔８２の内部に設置されている。第２のプラグ８４は、貫通孔８６を有する。第２のプラグ８４の貫通孔８６は、キャビティー２６に連通されている。ケーブル１０の端部は、第２のプラグ８４の貫通孔８６を介してキャビティー２６に挿入されるとともに、金属端子２８に電気的に接続される。同時に、第２のプラグ８４は、シース３４の外面と第１のプラグ２０の内壁との間に押圧される。
【００３５】
上記の実施例において、第１のプラグ２０は、開口３０に圧入され係り合う硬質ゴム栓である。第１のプラグ２０の挿通孔８２は、円形の挿通孔８２である。第２のプラグ８４は、円形の挿通孔８２に係り合う環状の第２のプラグ８４である。第２のプラグ８４は、例えば、人工ゴムクッション等の軟質プラグであり、ケーブル１０と第２のプラグ８４との間がその弾力収縮性によって密着し圧出される。第２のプラグ８４の貫通孔８６は、ケーブル１０に係り合う円形の貫通孔８６である。ここで注意すべくことは、第１のプラグ２０が硬質ゴム栓であり、第２のプラグ８４が人工ゴムクッションであるという態様は、本発明における実施例であるが、第１のプラグ２０及び第２のプラグ８４は、その他の実施例において、具体的なニーズに応じてその他の材質を用いてもよい。
【００３６】
第１のプラグ２０は、開口３０の形状に対応する栓ヘッド８８と、栓ヘッド８８からキャビティー２６に伸びて形成される栓壁９０と、を含む。栓壁９０は、第１のプラグ２０をキャビティー２６の内部に嵌め込んだ後、モジュラープラグ本体１４の内壁に当接されることで、第１のプラグ２０をモジュラープラグ本体１４に固定して連接させる。本実施例において、栓壁９０は２個であり、対称に分布されている。
【００３７】
第２のプラグ８４の外周には、当該第２のプラグ８４が第１のプラグ２０の挿通孔８２の中から外れることを防止するための少なくとも１個のストッパ部９２が設けられている。上記の実施例において、上記少なくとも１個のストッパ部９２は、第２のプラグ８４の外周に設けられ、半径方向に沿って突出する２個の対称なストッパ部９２を含む。第２のプラグ８４を軸方向に沿って第１のプラグ２０の挿通孔８２に装着する際、第２のプラグ８４は、第１のプラグ２０の内側、即ち栓壁９０が設置されている側から第１のプラグ２０の挿通孔８２の中にはめ込むことによって、２個のストッパ部９２が第１のプラグ２０の内側に係り合う。これにより、ケーブル１０が引っ張られる際、第２のプラグ８４が第１のプラグ２０の挿通孔８２の中から外れることを防止することができる。第１のプラグ２０の内側には、図６に示すように、ストッパ部９２に係り合うための止め溝９３が設けられている。理解すべくこととして、その他の実施例において、２個以外のストッパ部９２を設置してもよい。その他の実施例において、その他の構成を利用して、第２のプラグ８４が第１のプラグ２０の挿通孔８２の中から外れることを防止し、或いは、第２のプラグ８４を第１のプラグ２０の挿通孔８２の中に固定してもよいが、本発明は、これに対して限定しない。
【００３８】
第１のプラグ２０とモジュラープラグ本体１４との連接をさらに安定させるため、上記の実施例において、第１のプラグ２０は、さらに栓ヘッド８８からキャビティー２６に向いて伸びて形成される弾性フック９４を含む。弾性フック９４は、垂直方向において小さい範囲での弾性伸縮を実現することができる。これに対して、モジュラープラグ本体１４には、弾性フック９４に係り合う係合溝９６が設けられている。本実施例において、係合溝９６は、外側に向いて曲がるように突出する第２の額縁４８（即ち、第２の本体側壁３８）に設置され、第１の開孔４４に連通されている。第１のプラグ２０が開口３０の内部に圧入される際、栓ヘッド８８が開口３０の箇所に位置し、栓壁９０がキャビティー２６の内壁、即ちモジュラープラグ本体１４の内壁に当接され、弾性フック９４が係合溝９６の内部に係り止められることによって、第１のプラグ２０をモジュラープラグ本体１４に強固に固定することができる。本実施例において、弾性フック９４及び係合溝９６の数は、それぞれ２個であるが、その他の実施例においては、その他の数であってもよい。
【００３９】
理解すべくこととして、本実施例において、第１のプラグ２０とモジュラープラグ本体１４とを安定に連接させるため、弾性フック９４及びこれに係り合う係合溝９６を設置する構成を採用したが、その他の実施例において、その他の構成を採用してもよいが、本発明は、これに対して限定しない。
【００４０】
以上説明したように、本発明は、撚りピッチの破壊度合いを低下することができるモジュラープラグを提供する。モジュラープラグの開口は、二つの対向している短い額縁及び二つの対向している長い額縁により囲まれることで形成される。当該開口は、モジュラープラグのキャビティーに連通される。各額縁は、開口に位置している額縁内側と、開口から離れる額縁外側と、を有する。各額縁うちの長い額縁は、凹面が当該長い額縁における開口に対向する額縁内側に形成されるように、凸面が当該長い額縁における開口から離れる額縁外側に形成されるように、外側に向いて曲がるように突出することによって、開口の断面積を増大させる。本発明は、さらに通信ケーブルを提供する。キャビティーに挿入するケーブルの部分における一段のシースのみが除去され、開口に近接する一段のシースは除去される必要がないように、開口の断面積を増大させることで、撚りピッチが破壊されるケーブルの長さが短くなり、効果的にツイストペアケーブル間の信号のクロストークを低下させ、ネットワークの伝送効果を向上することができる。金属シールドケースは、第１の開孔の内部に向かって折り曲がるように変形可能な金属弾性シートを設置することによって、金属弾性シートを遮蔽メッシュに当接させるので、その構成が簡単で、設計が精巧であり、優れた接地の遮断効果を実現することができる。本発明は、さらに第２のプラグを交換可能に第１のプラグの挿通孔の中に装着する。第２のプラグは、ケーブルの線径に応じて自由に交換することができるので、モジュラープラグは各種の線径のケーブルに適用される。
【００４１】
本明細書において説明した概念は、その旨及び特徴を逸脱しない範囲で、他の態様で実現することができる。以上記載した具体的な実施例は、例示的なものであり、限定的なものではないと見なされる。従って、本発明の保護範囲は、特許請求の範囲に限定され、上記の説明により特定されるものではない。特許請求の範囲の文字上の意味及び同等範囲内でのいかなる変更は、いずれも特許請求の範囲に属するべきである。
【図１】
2019515479.tif 000003
【図２】
2019515479.tif 000004
【図３】
2019515479.tif 000005
【図４】
2019515479.tif 000006
【図５】
2019515479.tif 000007
【図６】
2019515479.tif 000008
【図７】
2019515479.tif 000009
【国際調査報告】
2019515479.tif 000010
2019515479.tif 000011
2019515479.tif 000012
2019515479.tif 000013
2019515479.tif 000014
2019515479.tif 000015